(57)【特許請求の範囲】
【請求項１】
斜文織の円筒ジャケットにおいて、たて糸がよこ糸の上に連続的に浮いてつくる斜文線の方向を円筒ジャケットの中心軸の方向と実質的に同一方向にしたことを特徴とする円筒ジャケット。
【請求項２】
斜文織の円筒ジャケットにおいて、たて糸がよこ糸の上に連続的に浮いてつくる斜文線の方向を円筒ジャケットの中心軸の方向に対して１０°未満の角度で螺旋状に配置したことを特徴とする円筒ジャケット。
【請求項３】
前記たて糸を円筒ジャケットの中心軸に対して螺旋状に配置することによって、円筒ジャケットの中心軸に対して斜め方向に発生する斜文線を円筒ジャケットの中心軸に沿って直線状、または中心軸との角度が１０°未満の螺旋状にしたことを特徴とする請求項１または請求項２記載の円筒ジャケット。
【請求項４】
前記たて糸がよこ糸の上に連続的に浮いてつくる斜文線を円筒ジャケットの内側に配置したことを特徴とする請求項１または２記載の円筒ジャケット。
【請求項５】
前記たて糸は繊維、よこ糸は繊維または金属線状体または合成樹脂線状体またはこれらの組合せからなることを特徴とする請求項１または請求項２記載の円筒ジャケット。
【請求項６】
請求項１または請求項２記載の円筒ジャケットの内面にライニング層を設けたジャケットホースにおいて、
前記ホースに使用圧力が加わった時に斜文線の方向とホースの中心軸とが略同一または１０°未満の角度になるようにしたことを特徴とするジャケットホース。
【請求項７】
請求項１または請求項２記載の円筒ジャケットの少なくとも内面にライニング層を設けてホースを構成し、前記ホースに使用時の負圧が加わった時に斜文線の方向とホースの中心軸とが略同一または１０°未満の角度になるようにしたことを特徴とするサクションホース。
【請求項８】
たて糸とよこ糸とからなる斜文織の円筒ジャケットを製造する装置において、
よこ糸を織り込むシャットルを一構成要素とする円筒織機の下部側に配置され、該円筒織機で織っている円筒ジャケットを引き取る回転引取ユニットと、この回転引取ユニットを回転させる回転機構とを具備し、前記回転引取ユニットを前記シャットルの回転数と任意の比率で同期させて回転させ、円筒ジャケットを捩りながら織組することを特徴とする円筒ジャケットの製造装置。
【請求項９】
前記回転引取ユニットは、円筒織機からの円筒ジャケットを所定の位置に搬送する複数の引取ローラーと、これらの引取ローラーを駆動する駆動源と、この駆動源による駆動力を前記引取ローラーに伝達させる伝達機とを有していることを特徴とする請求項８記載の円筒ジャケットの製造装置。
【請求項１０】
前記回転引取ユニットは該ユニットからの円筒ジャケットを巻き取る巻取り装置を備え、前記回転引取ユニットと前期巻取り装置が前記回転機構により一体で回転することを特徴とする請求項８記載の円筒ジャケットの製造装置。
【請求項１１】
前記巻取り装置は、円筒ジャケットを巻き取る巻取リールと、この巻取リールを駆動する駆動源と、この駆動源による駆動力を巻取リールに伝達する伝達機を有することを特徴とする請求項１０記載の円筒ジャケットの製造装置。
【請求項１２】
前記回転機構は、前記回転引取ユニットの上部と上部固定ガイド間に設けられた回転用ローラーと、前記回転引取ユニットの下部中央部に該ユニットの軸方向に沿って連結し、端部に伝達具を有する支持軸と、前記回転引取ユニットを駆動する駆動源と、この駆動源からの駆動力を前記伝達具に伝達する伝達機とを有することを特徴とする請求項１０記載の円筒ジャケットの製造装置。
【請求項１３】
前記円筒織機と前記回転引取ユニット間に、円筒織機から引き取る円筒ジャケットを円筒状の形状で捩る円筒部捩り機構を有することを特徴とする請求項８記載の円筒ジャケットの製造装置。
【請求項１４】
前記円筒部捩り機構は、円筒織機からの円筒ジャケットの内側に位置するように支持された円筒保持マンドレルと、この円筒保持マンドレルをジャケットの外側から挟む１つ又は２つ以上の一対の円筒部捩りローラーとを有することを特徴とする請求項１３記載の円筒ジャケットの製造装置。
【発明の詳細な説明】
【技術分野】
【０００１】  本発明は、例えば消防ホース、保形ホース、吸水ホース、給油ホース等の円筒ジャケット、ジャケットホース、サクションホース、及び円筒ジャケットの製造装置に関する。
【背景技術】
【０００２】  一般に消防ホースは、円筒ジャケットの内面にゴムまたは合成樹脂からなるライニング層を施して液密に保たれている。即ち、例えば、繊維からなるたて糸とよこ糸を円筒織機によって筒状に織成したジャケットを形成し、このジャケットの内面にライニング層を施している。【０００３】  消防ホースは、軽量化・柔軟性が強く望まれており、ライニング層の厚さを薄くする傾向がある。しかし、ライニング層を薄肉にすると、ジャケットの内面に現れるたて糸とよこ糸との織目（交差）部によって凹凸ができる。その結果、この凹凸によってライニング層の内面に凹凸ができ、この凹凸が通水抵抗となっている。特によこ糸によって蛇腹状に発生する円周方向（螺旋方向）の突状による通水抵抗が大きい。【０００４】  そこで、従来においては、円筒ジャケットの内面にライニング層を設けると共に、ライニング層の内面にホースの長さ方向に延びる複数の突条を設けたものが知られている（例えば、特許文献１）。【０００５】  また、円筒ジャケットの内面にライニング層を設けると共に、ライニング層の内面にホースの長さ方向に延びる複数の溝を設けたものが知られている（例えば、特許文献２）。【０００６】  いずれもホースの内面における乱流発生を抑制し、圧力損失を小さくして通水速度を向上させたものである。【０００７】  しかしながら、消防ホース等においては、軽量化と柔軟性を確保するため、ライニング層は０．５ｍｍ前後である。従って、突条を設けるにしても、高さが高くなると、軽量化と柔軟性を確保することができず、高さの低い突条を設けざるを得ない。また、ライニング層に溝を設けるにしても、０．５ｍｍ前後のライニング層に溝を設けても、溝の深さは僅かなものである。【０００８】  従って、ライニング層にホースの中心軸方向に亘って突条や溝を設けても、よこ糸によって蛇腹状に発生する大きな凹凸のために乱流発生の抑制効果を十分に発揮できない。通水速度を向上させるために、突条の高さを高くしたり、ライニング層を厚くして溝を深くしようとすると、ホースの軽量化と柔軟性を確保できないという問題がある。さらに、ライニング層に加工を施すことはコストアップの原因となる。
【特許文献１】特開平７−４５６９号公報（特許請求の範囲及び図１）
【特許文献２】特開２０００−５５２４７号公報（特許請求の範囲及び図１）
【発明の開示】
【０００９】  本発明は、前記事情に着目してなされたもので、その目的とするところは、ライニング層に加工を施すことなく、圧力損失が小さく、しかも柔軟性及び軽量化が図れる円筒ジャケット、ジャケットホース、サクションホース、及び円筒ジャケットの製造装置を提供することにある。
【００１０】  （１）上記目的を達成するために、本発明に係る円筒ジャケットは、斜文織の円筒ジャケットにおいて、たて糸がよこ糸の上に連続的に浮いてつくる斜文線の方向を円筒ジャケットの中心軸の方向と実質的に同一方向にしたことを特徴とする。
【００１１】  （２）また、本発明に係る円筒ジャケットは、斜文織の円筒ジャケットにおいて、たて糸がよこ糸の上に連続的に浮いてつくる斜文線の方向を円筒ジャケットの中心軸の方向に対して１０°未満の角度で螺旋状に配置したことを特徴とする。
【００１２】  （３）本発明に係る円筒ジャケットは、上記（１）又は（２）において、前記たて糸を円筒ジャケットの中心軸に対して螺旋状に配置することによって、円筒ジャケットの中心軸に対して斜め方向に発生する斜文線を円筒ジャケットの中心軸に沿って直線状または中心軸との角度が１０°未満の螺旋状にしたことを特徴とする。
【００１３】  （４）本発明に係る円筒ジャケットは、上記（１）又は（２）において、前記たて糸がよこ糸の上に連続的に浮いてつくる斜文線を円筒ジャケットの内側に配置したことを特徴とする。
【００１４】  （５）本発明に係る円筒ジャケットは、上記（１）乃至（４）のいずれかにおいて、たて糸は繊維、よこ糸は繊維または金属線状体または合成樹脂線状体またはこれらの組合せからなることを特徴とする。
【００１５】  （６）本発明に係るジャケットホースは、上記（１）乃至（５）のいずれかの円筒ジャケットの内面にライニング層を設けたジャケットホースにおいて、前記ホースに使用圧力が加わった時に斜文線の方向とホースの中心軸とが略同一または１０°未満の角度になるようにしたことを特徴とする。
【００１６】  （７）本発明に係るサクションホースは、上記（１）乃至（５）のいずれかにおいて、前記円筒ジャケットの少なくとも内面にライニング層を設けてホースを構成し、前記ホースに使用時の負圧が加わった時に斜文線の方向とホースの中心軸とが略同一または１０°未満の角度になるようにしたことを特徴とする。
【００１７】  （８）本発明に係る円筒ジャケットの製造装置は、たて糸とよこ糸とからなる斜文織の円筒ジャケットを製造する装置において、よこ糸を織り込むシャットルを一構成要素とする円筒織機の下部側に配置され、該円筒織機で織っている円筒ジャケットを引き取る回転引取ユニットと、この回転引取ユニットを回転させる回転機構とを具備し、前記回転引取ユニットを前記シャットルの回転数と任意の比率で同期させて回転させ、円筒ジャケットを捩りながら織組することを特徴とする。
【００１８】  （９）本発明に係る円筒ジャケットの製造装置は、上記（８）において、前記回転引取ユニットは、円筒織機からの円筒ジャケットを所定の位置に搬送する複数の引取ローラーと、これらの引取ローラーを駆動する駆動源と、この駆動源による駆動力を前記引取ローラーに伝達させる伝達機とを有していることを特徴とする。
【００１９】  （１０）本発明に係る円筒ジャケットの製造装置は、上記（９）において、前記回転引取ユニットは該ユニットからの円筒ジャケットを巻き取る巻取り装置を備え、前記回転引取ユニットと前期巻取り装置が前記回転機構により一体で回転することを特徴とする。
【００２０】  （１１）本発明に係る円筒ジャケットの製造装置は、上記（１０）において、前記巻取り装置が、円筒ジャケットを巻き取る巻取リールと、この巻取リールを駆動する駆動源と、この駆動源による駆動力を巻取リールに伝達する伝達機を有することを特徴とする。
【００２１】  （１２）本発明に係る円筒ジャケットの製造装置は、上記（１０）において、前記回転機構が、前記回転引取ユニットの上部と上部固定ガイド間に設けられた回転用ローラーと、前記回転引取ユニットの下部中央部に該ユニットの軸方向に沿って連結し、端部に伝達具を有する支持軸と、前記回転引取ユニットを駆動する駆動源と、この駆動源からの駆動力を前記伝達具に伝達する伝達機とを有することを特徴とする。
【００２２】  （１３）本発明に係る円筒ジャケットの製造装置は、上記（８）において、前記円筒織機と前記回転引取ユニット間に、円筒織機から引き取るジャケットを円筒状の形状で捩る円筒部捩り機構を有することを特徴とする。
（１４）本発明に係る円筒ジャケットの製造装置は、上記（１３）において、前記円筒部捩り機構が、円筒織機からのジャケットの内側に位置するように支持された円筒保持マンドレルと、この円筒保持マンドレルをジャケットの外側から挟む１つ又は２つ以上の一対の円筒部捩りローラーとを有することを特徴とする。
【００２３】  本発明の斜文織で織組された円筒ジャケットによれば、その中心軸を中心として例えば、捻りを加えて、斜文線の方向を円筒ジャケットの中心軸の方向と略同一（実質的に同一）にすると、たて糸は円筒ジャケットに対して螺旋状となる。斜文織で織組された円筒ジャケットを、その中心軸を中心として捻りを加え、斜文線の方向を円筒ジャケットの中心軸と略一致させる手段としては、円筒ジャケットの長手方向の両端部を支持して捻りを加えてもよい。
【００２４】  また、よこ糸が硬鋼線の場合は、たて糸と織組するときに、小さな巻きのコイルばね状に成形されたよこ糸である鋼線が元の直線状態に弾性的に復帰する力によって円筒ジャケットが捩られて斜文線の方向が円筒ジャケットの中心線と一致するようにしてもよい。
【００２５】  本発明の円筒ジャケットによれば、たて糸がよこ糸の上に連続的に浮いてつくる斜文線を円筒ジャケットの内側に配置することにより、よこ糸によって蛇腹状に発生する大きな円周方向の凹凸に十分対抗できる斜文線による大きな軸方向の突条を形成できるので、ライニング層に加工を施すことなく、圧力損失が小さく、しかも柔軟性及び軽量化が図れるという効果がある。
【００２６】  本発明の円筒ジャケットによれば、上記（２）に記載したように、たて糸がよこ糸の上に連続的に浮いてつくる斜文線の方向を円筒ジャケットの中心軸の方向に対して１０°未満の角度で螺旋状に配置することにより、円筒ジャケットをホースとして使用した時、内側に少し螺旋状になった縦筋があるので、蛇行したホースの湾曲部を含む圧力損失が減少する。なお、螺旋状にする程度は、斜文線の方向と円筒ジャケットの中心軸との角度が１０°未満となるように少しだけ螺旋状にするが、好ましくは３°〜７°である。
【００２７】  本発明の円筒ジャケットの製造装置によれば、回転引取ユニットをシャットルの回転数と任意の比率で同期させて回転機構により回転させ、円筒ジャケットのたて糸を捩りながら織組するので、たて糸を直線状ではなく捩れた状態にした円筒ジャケットを製造することができる。特に、上記（１３）に記載のように、天井と回転引取ユニット間に、円筒部捩りローラー等を備えた円筒部捩り機構が配置することにより、大きな捩りを加えても円筒ジャケットが皺にならず、均一に捩れた円筒ジャケットを得ることができる。
【図面の簡単な説明】
【００２８】
【図１】図１は、この発明の第１の実施形態を示す円筒ジャケットの説明図である。
【図２Ａ】図２Ａは、第１の実施形態の円筒ジャケットの外側から見た組織図である。
【図２Ｂ】図２Ｂは、第１の実施形態の円筒ジャケットの内側から見た組織図である。
【図３】図３は、第１の実施形態を示し、円筒ジャケットに捻りを付与した状態の説明図である。
【図４Ａ】図４Ａは、第１の実施形態の円筒ジャケットの捻りを付与した状態の外側から見た組織図である。
【図４Ｂ】図４Ｂは、第１の実施形態の円筒ジャケットの捻りを付与した状態の内側から見た組織図である。
【図５】図５は、同実施形態のジャケットホースを示す斜視図である。
【図６】図６は、この発明の第２の実施形態を示す円筒ジャケットの製造装置の正面図である。
【図７】図７は、同製造装置の左側面図である。
【図８】図８は、同製造装置の右側面の概略図である。
【図９】図９は、同製造装置の一構成要素である下部固定ガイド及び回転用ローラーの平面図である。
【発明を実施するための最良の形態】
【００２９】  以下、この発明の実施の形態を図面に基づいて説明する。【００３０】（第１の実施形態）
図１〜図４に基づいて、円筒ジャケット１の構成を説明すると、繊維からなる複数本のたて糸２と硬鋼線からなる１本のよこ糸３とから構成されている。たて糸２は、例えばポリエステルスパン糸の１０／１０ｓの白糸を２９８本と２０／１０ｓの青糸からなる柄糸２ａを１本使用する。よこ糸３は、例えば亜鉛メッキ硬鋼線φ１．８ｍｍを使用し、打ち込み数は２６山／１０ｃｍとしている。ここで使用するたて糸２のうち、１本の柄糸２ａは、たて糸２とよこ糸３を斜文織したときに、たて糸２の方向とたて糸２がよこ糸３の上に連続的に浮いてつくる斜文線Ａの方向を図面上わかりやすくしたものであって、この発明とは直接関係がない。なお、図１〜図３では、１シャットルの円筒織機で織組され、１条に配置された織物構造を図示している。【００３１】  円筒ジャケット１は、例えばノルウェーのマンダル社のＨＭ６０４型円筒織機を１シャットルに改造して使用したもので、織組される複数本のたて糸２は、円筒ジャケット１を取り囲むように円環状に配置されたシャットルガイドピン（図示しない）の相互間に挿通されている。たて糸２と織組される１本のよこ糸３は、その先端部がシャットルガイドピンの配置方向に沿って旋回するシャットル（図示しない）によって支持されている。そして、シェディングホイール（図示しない）の山部と谷部によって上下に振分けられるたて糸２の間にシャトルを通過させ、よこ糸３を螺旋状に織り込んで円筒ジャケット１を連続的に織組するようになっている。なお、改造しない普通のＨＭ６０４型円筒織機の場合は、２シャットル織機なので、よこ糸３が２条に配置される。なお、３シャットル以上の円筒織機を使用してもよいし、平織織機を使用した袋織の綾織物でもよい。【００３２】  ここで、前述した円筒織機によって織組される円筒ジャケット１は、１／２斜文織であり、図１及び図２は１／２斜文織からなる円筒ジャケット１で、図２Ａはジャケットの外側（布の表）、図２Ｂはジャケットの内側（布の裏）を示し、たて糸２とよこ糸３とからなり、たて糸２のうち１本は柄糸２ａである。ジャケットの外側から見た場合、図２Ａに示すように、たて糸２−１は、１本のよこ糸３−１の上に浮いた後、２本のよこ糸３−２，３−３の下に沈んで内側に現れ、次に１本のよこ糸３−４の上を浮いた後、２本のよこ糸３−５，３−６の下に沈むことを繰り返す。【００３３】  隣のたて糸２−２は、２本のよこ糸３−１，３−２の下に沈んだ後、１本のよこ糸３−３の上に浮き、次に２本のよこ糸３−４，３−５の下に沈んだ後、１本のよこ糸３−６の上に浮くことを繰り返す。さらに隣のたて糸２−３は、１本のよこ糸３−２の上に浮いた後、２本のよこ糸３−３，３−４の下に沈んで、１本のよこ糸３−５の上に浮いた後、２本のよこ糸３−６，３−７の下に沈むことを繰り返す。【００３４】  ジャケットの内側から見た場合、織物である布の裏になるので、図２Ｂに示すような織組となる。なお、図２Ａの２−１と図２Ｂの２−１’は同一のたて糸であり、同様に、符番２−２と符番２−２’、符番２−３と符番２−３’また、符番３−１と符番３−１’、符番３−２と符番３−２’、符番３−３と符番３−３’も同一のたて糸まてはよこ糸である。【００��５】  前述のように、１／２斜文織で織組された円筒ジャケット１は、たて糸２がよこ糸３の上に連続的に浮いてつくる斜文線Ａの方向が、図２Ｂに示すように、円筒ジャケット１の中心軸Ｓに対して略４５°となり、たて糸である柄糸２ａが円筒ジャケット１の中心軸Ｓと平行となる。斜文線Ａの方向が円筒ジャケットの中心軸Ｓに対して正４５°となるのは、たて糸とよこ糸の太さと密度が等しいときである。なお、１／２斜文織で織組された円筒ジャケットは一例を示しただけであり、斜文織であれば１／３等の斜文織でも急斜文、緩斜文、昼夜斜文等の変化斜文織でもよい。【００３６】  次に、１／２斜文織で織組された円筒ジャケット１を、その中心軸Ｓを中心として捻りを加え、図３及び図４Ａ，図４Ｂに示すように、斜文線Ａの方向を円筒ジャケット１の中心軸Ｓと略一致させると、柄糸２ａを含む全てのたて糸２は円筒ジャケット１の中心軸Ｓに対して螺旋状となる。ここで、１／２斜文織で織組された円筒ジャケット１を、その中心軸Ｓを中心として捻りを加え、斜文線Ａの方向を円筒ジャケット１の中心軸Ｓと略一致させる手段としては、円筒ジャケット１の長手方向の両端部を支持して捻りを加えてもよく、小さなコイルばね状に成形されたよこ糸３の亜鉛メッキ硬鋼線が元の直線状態に弾性的に復帰する力によって円筒ジャケット１が捩られて斜文線Ａの方向が円筒ジャケット１の中心軸Ｓと一致するようにしてもよい。【００３７】  ここで、円筒ジャケット１の具体的な実施例を述べると、円筒ジャケット１の中心軸Ｓ方向に約３０％縮めてよこ糸３が、２６山／１０ｃｍ→３６山／１０ｃｍになるようにする。次に、円筒ジャケット１を約５００°／ｍ、右ねじ方向に捩ると、円筒ジャケット１の中心軸Ｓと斜文線Ａとが一致し、斜文線Ａが円筒ジャケット１の軸方向に亘って直線状となる。前述のように、よこ糸３の亜鉛メッキ硬鋼線をコイルばね状に成形して自動的に軸線方向に３０％縮んで約５００°／ｍ捩れるように構成することにより、捩り力を付与する必要がなく、斜文線Ａの方向が円筒ジャケット１の中心軸Ｓと一致した円筒ジャケット１を製造できる。なお、よこ糸３の亜鉛メッキ硬鋼線は、一例を示しただけであり、繊維または金属線状体または合成樹脂線状体またはこれらの組合せでもよい。また、よこ糸３は１本に限定されるものではなく、２本のよこ糸を２条ねじのように配置してもよく、３条、４条でもよい。【００３８】  次に、ジャケットホースの製造方法について説明すると、図５に示すように、１／２斜文織で織組された円筒ジャケット１にライニング用チューブを引き込んで空圧で膨らませてから、その中心軸Ｓを中心として捻りを加え、斜文線Ａの方向を円筒ジャケット１の中心軸Ｓと略一致させる。次に、円筒ジャケット１をその中心軸Ｓを中心として捻りを加えた状態で、円筒ジャケット１内のライニング用チューブを加熱・加圧してゴムまたは合成樹脂からなるライニング層４を形成する。これにより、液密性が保たれ、ジャケットホース５が完成する。このジャケットホース５は、例えば消防ホース、保形ホース、吸水ホース、給油ホース等として使用することができる。【００３９】  このジャケットホース５は、円筒ジャケット１の内側に円筒ジャ��ット１の中心軸Ｓと一致する斜文線Ａが円筒ジャケット１の中心軸方向に亘って直線状に形成されている。従って、ライニング層４の斜文線Ａと接触する部分は、ジャケットホース５の内側に突出し、斜文線Ａに倣ってジャケットホース５の長手方向に沿って複数本の直線状の突条６が形成される。この突条６は内部を流れる流体の乱流発生を抑制し、圧力損失を小さくして通水速度を向上するという作用がある。しかも、ライニング層４に何ら加工を施すことなく、ジャケットホース５の長手方向に沿って複数本の直線状の突条６を形成できることから製造コストを大幅に低減できる。さらに、斜文線Ａによって突条６を形成しているために、ジャケットホース５の軽量化・柔軟性を確保し、取り扱いが容易である。【００４０】  なお、前記実施形態においては、斜文織で織組された円筒ジャケット１を、その中心軸Ｓを中心として捻りを加え、斜文線Ａの方向を円筒ジャケット１の中心軸Ｓと略一致させた。しかし、織組時に、たて糸２を円筒ジャケット１の中心軸に対して螺旋状に配置することによって、円筒ジャケット１の中心軸Ｓに対して斜め方向に発生する斜文線Ａを円筒ジャケット１の中心軸Ｓに沿って直線状にしてもよい。【００４１】  また、図示しないが、前記実施形態の円筒ジャケット１の少なくとも内面にライニング層を設けたホースを構成し、このホースに使用時の負圧が加わった時に斜文線の方向とホースの軸線とが略同一となるようにしたサクションホースでもよい。【００４２】  更に、前記実施形態においては、１／２三枚斜文織について説明したが、四枚斜文織等の斜文織やその他各種の変化斜文織でもよい。また、たて糸２の本数及び太さは使用目的によって適宜変更可能である。【００４３】  （第２の実施形態）
次に、円筒ジャケットを製造する製造装置について、図６、図７、図８、図９を参照して説明する。ここで、図６は同製造装置の正面図、図７は図６の左側面図、図８は図６の右側面図、図９は図６の製造装置の一構成である下部固定ガイドの平面図を示す。なお、後述する上部固定ガイドも同様の形状である。【００４４】  図６〜図８に示すように、例えば２階に位置するところに円筒織機１１が配置されている。この円筒織機１１は、例えばマンダル社製の織機（商品名：ＨＭ６０４）である。円筒織機１１は、ウィビングリング１２を中心として回転するよこ糸を織り込むシャトル（図示せず）を備えている。このシャトルからはよこ糸（図示せず）がウィビングリング１２の内側に送られ、円筒織機１１の外側から送られるたて糸１３とともに円筒ジャケット１４が織られる。【００４５】  上記製造装置は、天井側から順に円筒部捩り機構１５と、回転可能な回転引取ユニット１６と、このユニット１６を回転する回転機構１７を備えている。ここで、前記回転引取ユニット１６は、円筒織機１１のシャットルの回転数と任意の比率で同期して回転するようになっている。前記円筒織機１１の上部には、支持棒１８の一端が支持され、支持棒１８の他端には円筒織機１１からの円筒ジャケット１４を保護する円筒保持マンドレル１９が取り付けられている。この円筒保持マンドレル１９の外側を円筒ジャケット１４が移動するようになっている。【００４６】  前記円筒部捩り機構１５は、前記円筒保持マンドレル１９の他、該マンドレル１９を円筒ジャケット１４の外側から保持する第１の一対の捩りローラー２０ａ，第２の一対の捩りローラー２０ｂを上下に備えている。これらの捩りローラー２０ａ，２０ｂは平面的にみて直角にクロスして配置されている。１階の天井２１には上部固定ガイド２２を支持する支持部材２３が設けられている。【００４７】  前記回転引取ユニット１６は、円筒織機１１からの円筒ジャケット１４を所定の位置に搬送する複数の引取ローラー２４と、これらの引取ローラー２４を駆動する駆動源（モーター）２５と、このモーター２５による駆動力を前記引取ローラー２４に伝達させる伝達機としての減速機２６と２つのかさ歯車２７とを有している。また、各引取ローラー２４の軸には平歯車２８が設けられ、これを利用してモーター２５からの駆動力が各引取ローラー２４に伝達されるようになっている。【００４８】  また、前記回転引取ユニット１６は該ユニット１６からのジャケットを巻き取る巻取り装置２９を備えている。ここで、巻取り装置２９は、円筒ジャケット１４を巻き取る巻取リール３０と、この巻取リール３０を駆動する駆動源（モーター）３１と、このモーター３１による駆動力を巻取リール３０に伝達する伝達機としてのチェーン３２を有している。【００４９】  前記回転引取ユニット１６と巻取り装置２９は、回転機構１７により一体で回転するようになっている。前記回転機構１７は、前記回転引取ユニット１６の上部と上部固定ガイド２２間に設けられた後述する４つの回転用ローラー４０と、前記回転引取ユニット１６の下部中央部に該ユニットの軸方向に沿って連結し、下端部に伝達具としてのスプロケット３６を有する回転軸３７と、前記回転引取ユニット１６を駆動する駆動源（モーター）３８と、このモーター３８からの駆動力を前記スプロケット３６に伝達する伝達機としてのチェーン３９とを有している。【００５０】  前記回転引取ユニット１６の上部と前記上部固定ガイド２２間には、４つの回転用ローラー４０が設けられている。なお、前記上部固定ガイド２２は天井２１に支持され、下部固定ガイド３４は床４１に支持されている。そして、回転引取ユニット１６が回転機構１７により回転するとき、下部側の回転用ローラー３５は下部固定ガイド３４に対して転動し、上部側の回転用ローラー４０は上部固定ガイド２２に対して転動する。【００５１】  なお、回転引取ユニット１６の下部と下部固定ユニット３４間には、図９に示すように４つの回転ローラー３５が設けられている。そして、円筒ジャケット１４を織っているときは、引取ローラー２４の強い力で円筒ジャケット１４を引くので、上部の回転ローラー４０で回転引取ユニット１６を受け、円筒ジャケット１４を織っていないときは下部の回転ローラー３５で回転引取ユニット１６を受ける。【００５２】  こうした構造の円筒ジャケットの製造装置においては、回転引取ユニット１６をシャットルの回転数と任意の比率で同期させて回転機構１７により回転させ、円筒ジャケットのたて糸を捩りながら織組している。従って、たて糸を直線状ではなく捩れた状態にした円筒ジャケットを容易に製造することができる。特に、天井２１と回転引取ユニット１６間には、円筒部捩りローラー２０ａ，２０ｂを備えた円筒部捩り機構１５が配置されているので、大きな捩りを加えても円筒ジャケット１４が皺にならず、均一に捩れた円筒ジャケット１４を得ることができる。【００５３】  また、上記製造装置によれば、織物の構造を１／２斜文織等にした場合、たて糸がよこ糸の上に連続的に浮いてつくる斜文線の方向を円筒ジャケットの中心軸の方向に対して略同一方向にするか、又は少しだけ螺旋状にすることができる。これにより、円筒ジャケットをホースとして使用した場合、内側に直線状か又は少し螺旋状になった縦筋ができ、ホースの湾曲部を含めた圧力損失を減少できる。なお、ジャケットの中心軸に対する斜文線の角度は、本来斜文織の織物仕様（織物組織やたて糸とよこ糸の太さ、密度）によって決まってしまうが、本発明によれば、たて糸をジャケット中心軸に対して任意の角度で捩ることによって、この斜文線の角度を自由に（０°〜１０°）設定できる。【００５４】  なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図１】
0004485473.tif 000002
【図２Ａ】
0004485473.tif 000003
【図２Ｂ】
0004485473.tif 000004
【図３】
0004485473.tif 000005
【図４Ａ】
0004485473.tif 000006
【図４Ｂ】
0004485473.tif 000007
【図５】
0004485473.tif 000008
【図６】
0004485473.tif 000009
【図７】
0004485473.tif 000010
【図８】
0004485473.tif 000011
【図９】
0004485473.tif 000012